Podtech/llm-jp-corpus-v4-ja_patent huggingface dataset:
【手続補正書】
【提出日】令和1年6月12日(2019.6.12)
【手続補正１】
【補正対象書類名】特許請求の範囲
【補正対象項目名】全文
【補正方法】変更
【補正の内容】
【特許請求の範囲】
【請求項１】
主板と、
前記主板にて環状に配列されている複数の翼部とを備え、
前記主板のうち前記複数の翼部が配置されている側とは裏側へ前記主板を貫通させて折り曲げられ、前記主板に前記複数の翼部の各々を個別に繋ぎ合わせるカシメ部が設けられていることを特徴とする多翼羽根車。
【請求項２】
前記複数の翼部のうち前記主板が配置されている側とは反対側において、前記複数の翼部同士を繋ぐ環状の補強部材を備え、
前記補強部材のうち前記複数の翼部が配置されている側の裏側へ前記補強部材を貫通させて折り曲げられ、前記補強部材に前記複数の翼部の各々を個別に繋ぎ合わせるカシメ部が設けられていることを特徴とする請求項１に記載の多翼羽根車。
【請求項３】
主板と、
前記主板にて環状に配列されている複数の翼部と、
前記複数の翼部のうち前記主板が配置されている側とは反対側において、前記複数の翼部同士を繋ぐ環状の補強部材と
を備え、
前記複数の翼部と、前記主板と、前記補強部材とは、一体の部材に形成されていることを特徴とする多翼羽根車。
【請求項４】
前記複数の翼部の各々と、前記主板と、前記補強部材との表面に、撥油性材料によるコーティングが施されていることを特徴とする請求項２または３に記載の多翼羽根車。
【請求項５】
前記撥油性材料は、フッ素樹脂とフッ素オイルとを含む混合体であることを特徴とする請求項４に記載の多翼羽根車。
【請求項６】
前記混合体は、前記複数の翼部と、前記主板と、前記補強部材との各々に形成された下地膜の上に設けられていることを特徴とする請求項５に記載の多翼羽根車。
【請求項７】
請求項１から６のいずれか１つに記載の多翼羽根車と、
前記多翼羽根車を回転駆動する電動機と、
前記多翼羽根車が収容され、前記多翼羽根車の回転によって空気流が吸い込まれる吸込口と空気流が吹き出される吹出口とを有するファンケーシングと
を備えることを特徴とする遠心送風機。
【請求項８】
前記電動機の駆動による前記遠心送風機の運転を停止する際に、前記電動機は、前記運転のときより高速に前記多翼羽根車を回転させることを特徴とする請求項７に記載の遠心送風機。
【請求項９】
前記電動機の駆動による前記遠心送風機の運転を停止する際において、前記遠心送風機の運転時間の積算時間が閾値に達している場合に、前記電動機は、前記運転のときより高速に前記多翼羽根車を回転させることを特徴とする請求項７に記載の遠心送風機。
【請求項１０】
前記ファンケーシング内の送風路を構成する内側面に、撥油性材料によるコーティングが施されていることを特徴とする請求項７から９のいずれか１つに記載の遠心送風機。
【請求項１１】
前記撥油性材料は、フッ素樹脂とフッ素オイルとの混合体であることを特徴とする請求項１０に記載の遠心送風機。
【請求項１２】
前記混合体は、前記内側面に形成された下地膜の上に設けられていることを特徴とする請求項１１に記載の遠心送風機。
【請求項１３】
前記ファンケーシング内の油分を前記ファンケーシングの外へ排出させる油抜き穴が設けられていることを特徴とする請求項７から１２のいずれか１つに記載の遠心送風機。
【手続補正書】
【提出日】令和1年11月7日(2019.11.7)
【手続補正１】
【補正対象書類名】明細書
【補正対象項目名】００２２
【補正方法】変更
【補正の内容】
【００２２】
本発明において、前記応力算出部は、前記Ｘ線検出部の複数のＸ線検出素子の検出値を縦軸、各Ｘ線検出素子に入射する回折Ｘ線の角度を横軸とするグラフを作成し、該グラフをプロファイルフィッティング処理することにより、前記ピークトップ位置を求めることができる。プロファイルフィッティング処理に用いる手法としては、最小二乗法の計算法の一種であるレーベンバーグ・マルカート法（Levenberg-Marquardt法）が挙げられる。また、プロファイルフィッティング処理に用いる関数には、例えばガウス関数、ローレンツ関数、又はこれらの組み合わせ等を用いることができる。
【手続補正２】
【補正対象書類名】明細書
【補正対象項目名】００２３
【補正方法】変更
【補正の内容】
【００２３】
また、本発明において、前記応力算出部が、前記Ｘ線検出部の複数のＸ線検出素子の検出値を縦軸、各Ｘ線検出素子に入射する回折Ｘ線の回折角度を横軸とするグラフを作成し、該グラフにおけるベースラインを求め、これを前記グラフから差し引く減算処理を行った残りのグラフ波形を正規化してピークトップ位置を求めるようにしても良い。上述したように、本発明では、ピークトップ位置がＸ線検出部の測定角度範囲のほぼ中央となるため、ベースラインを差し引く減算処理によっても、正確なピークトップ位置を求めることができる。
【手続補正３】
【補正対象書類名】明細書
【補正対象項目名】００２８
【補正方法】変更
【補正の内容】
【００２８】
Ｘ線検出部１１６のＸ線検出素子にＸ線が入射すると、Ｘ線検出部１１６はその強度に応じた検出信号を生成する。Ｘ線検出部１１６で得られた検出信号はアンプ１１８を通してデータ処理部１２０に送られる。データ処理部１２０はデータ収集部１２１、回折角算出部１２２、応力値算出部１２３等を有する。データ収集部１２１が本発明の第１及び第２測定部に対応する。制御部１００はＸ線応力測定装置の各部の動作をそれぞれ制御する。データ処理部１２０で処理されて得られたグラフなどの結果は、制御部１００に送信され、表示部１０１に出力される。制御部１００には表示部１０１の他、作業者が適宜の設定や指示を行うための入力部１０２を備える。なお、制御部１００やデータ処理部１２０はパーソナルコンピュータをハードウェア資源とし、該パーソナルコンピュータにインストールされた専用の制御・処理ソフトウェアを実行することにより、上記のような各機能ブロックが具現化される構成とすることができる。
【手続補正書】
【提出日】平成31年3月8日(2019.3.8)
【手続補正１】
【補正対象書類名】特許請求の範囲
【補正対象項目名】全文
【補正方法】変更
【補正の内容】
【特許請求の範囲】
【請求項１】
パルプ繊維及び高吸収性ポリマーを含む使用済の衛生用品由来のリサイクルパルプ繊維であって、
前記リサイクルパルプ繊維が、標準白板に対して、０〜１０のΔＹＩを有する、
ことを特徴とする、前記リサイクルパルプ繊維。
【請求項２】
前記リサイクルパルプ繊維が、０．６５質量％以下の灰分率を含む、請求項１に記載のリサイクルパルプ繊維。
【請求項３】
パルプ繊維及び高吸収性ポリマーを含む使用済の衛生用品由来のリサイクルパルプ繊維を含む衛生用品であって、
前記リサイクルパルプ繊維が、標準白板に対して、０〜１０のΔＹＩを有する、
ことを特徴とする、前記衛生用品。
【請求項４】
前記リサイクルパルプ繊維が、０．６５質量％以下の灰分率を含む、請求項３に記載の衛生用品。
【手続補正書】
【提出日】令和1年10月15日(2019.10.15)
【手続補正１】
【補正対象書類名】明細書
【補正対象項目名】０００８
【補正方法】変更
【補正の内容】
【０００８】
本発明による回転型差動変圧器は、筒状ケースの内壁に設けられ、内方に向けて突出する複数個の突出コア部を有するステータコアと、前記ステータコアの内側に配設され、前記筒状ケースに直接的又は間接的に設けられた一対の軸受を介して回転自在な回転軸と、前記回転軸に設けられたロータコアと、前記ロータコアに設けられ半径方向に突出する複数のロータ歯部と、前記各ロータ歯部に設けられた励磁・検出コイルと、よりなり、前記励磁・検出コイルに接続された励磁リード線及び検出リード線は前記回転軸のみを介して前記筒状ケースの外部に導出されるようにした構成であり、また、前記各ロータ歯部は、前記ステータコアの前記突出コア部の内面に形成された内周円弧面に対して所定の間隔を保つような外周円弧面を有する構成であり、また、前記励磁リード線及び前記検出リード線は、前記回転軸の外周面よりも内側に配設されている構成であり、また、前記各リード線は、前記回転軸の中空部内を経て外部に導出される構成であり、また、前記各リード線又は、前記各励磁・検出コイルは、前記回転軸の表面又は溝内に設けられた励磁用又は検出用の第１、第２導体に接続されている構成であり、また、前記各導体は、前記回転軸の端部にその一部又は全部が設けられたスリップリングに接続されている構成である。
【手続補正２】
【補正対象書類名】明細書
【補正対象項目名】００２３
【補正方法】変更
【補正の内容】
【００２３】
次に、本発明による回転型差動変圧器の要旨とするところは、次の通りである。
すなわち、筒状ケース１の内壁１ｃに設けられ、内方に向けて突出する複数個の突出コア部６０、６１を有するステータコア１２Ａと、前記ステータコア１２Ａの内側に配設され、前記筒状ケース１に直接的又は間接的に設けられた一対の軸受６２，６３を介して回転自在な回転軸１２と、前記回転軸１２に設けられたロータコア１３と、前記ロータコア１３に設けられ半径方向に突出する複数のロータ歯部５０，５１，５２，５３と、前記各ロータ歯部５０，５１，５２，５３に設けられた励磁・検出コイル１０Ａ，１０Ｂ，１０Ｃ，１０Ｄと、よりなり、前記励磁・検出コイル１０Ａ，１０Ｂ，１０Ｃ，１０Ｄに接続された励磁リード線７３及び検出リード線７４は前記回転軸１２のみを介して前記筒状ケース１の外部に導出されるようにした構成であり、また前記各ロータ歯部５０，５１，５２，５３は、前記ステータコア１２Ａの前記突出コア部６０，６１の内面に形成された内周円弧面６０Ａ，６１Ａに対して所定の間隔Ｇを保つような外周円弧面６０ａを有する構成であり、また、前記励磁リード線７３及び前記検出リード線７４は、前記回転軸１２の外周面１２Ｇよりも内側に配設されている構成であり、また、前記各リード線７３，７４は、前記回転軸１２の中空部１２Ｄ内を経て外部に導出される構成であり、また、前記各リード線７３、７４又は前記各励磁・検出コイル１０Ａ〜１０Ｄは、前記回転軸１２の表面又は溝１２Ｎ、１２Ｒ内に設けられた励磁用又は検出用の第１、第２導体１２Ｍ、１２Ｆに接続されている構成であり、また、前記各導体１２Ｍ、１２Ｆは、前記回転軸１２の端部１２Ｙにその一部又は全部が設けられたスリップリング１００に接続されている構成である。
【手続補正３】
【補正対象書類名】特許請求の範囲
【補正対象項目名】全文
【補正方法】変更
【補正の内容】
【特許請求の範囲】
【請求項１】
筒状ケース(1)の内壁(1c)に設けられ、内方に向けて突出する複数個の突出コア部(60,61)を有するステータコア(12A)と、前記ステータコア(12A)の内側に配設され、前記筒状ケース(1)に直接的又は間接的に設けられた一対の軸受(62,63)を介して回転自在な回転軸(12)と、前記回転軸(12)に設けられたロータコア(13)と、前記ロータコア(13)に設けられ半径方向に突出する複数のロータ歯部(50,51,52,53)と、前記各ロータ歯部(50,51,52,53)に設けられた励磁・検出コイル(10A,10B,10C,10D)と、よりなり、前記励磁・検出コイル(10A,10B,10C,10D)に接続された励磁リード線(73)及び検出リード線(74)は前記回転軸(12)の周面又は内部を介して前記筒状ケース(1)の外部に導出されるように構成したことを特徴とする回転型差動変圧器。
【請求項２】
前記各ロータ歯部(50,51,52,53)は、前記ステータコア(12A)の前記突出コア部(60,61)の内面に形成された内周円弧面(60A,61A)に対して所定の間隔(G)を保つような外周円弧面(60a)を有する構成であることを特徴とする請求項１記載の回転型差動変圧器。
【請求項３】
前記励磁リード線(73)及び前記検出リード線(74)は、前記回転軸(12)の外周面(12G)よりも内側に配設されている構成としたことを特徴とする請求項１又は２記載の回転型差動変圧器。
【請求項４】
前記各リード線(73,74)は、前記回転軸(12)の中空部(12D)内を経て外部に導出される構成としたことを特徴とする請求項１ないし３の何れか１項に記載の回転型差動変圧器。
【請求項５】
前記各リード線(73,74)又は前記各励磁・検出コイル(10A〜10D)は、前記回転軸(12)の表面又は溝(12N,12R)内に設けられた励磁用・又は検出用の第１、第２導体(12M,12F)に接続されている構成としたことを特徴とする請求項１ないし３の何れか１項に記載の回転型差動変圧器。
【請求項６】
前記各導体(12M,12F)は、前記回転軸(12)の端部にその一部又は全部が設けられたスリップリング(100)に接続されている構成としたことを特徴とする請求項５に記載の回転型差動変圧器。
【手続補正書】
【提出日】令和1年6月12日(2019.6.12)
【手続補正１】
【補正対象書類名】特許請求の範囲
【補正対象項目名】全文
【補正方法】変更
【補正の内容】
【特許請求の範囲】
【請求項１】
プロセッサを備えるコンピュータにより実行される方法であって、
前記方法は、前記プロセッサに、
仮想カメラと、操作オブジェクトと、対象オブジェクトとを含む仮想空間を定義するステップと、
ユーザの身体の一部の動きに応じて、前記操作オブジェクトを動かすステップと、
前記操作オブジェクトの動きに応じて、前記対象オブジェクトを選択するステップと、を実行させ、
前記操作オブジェクトにはコリジョンエリアが設定され、前記コリジョンエリアに基づいて前記操作オブジェクトと前記対象オブジェクトの接触を判定し、
前記身体の一部の速度及び前記操作オブジェクトの速度の少なくともいずれかに応じて前記コリジョンエリアの大きさを変化させる、方法。
【手続補正書】
【提出日】平成30年11月26日(2018.11.26)
【手続補正１】
【補正対象書類名】明細書
【補正対象項目名】０００１
【補正方法】変更
【補正の内容】
【０００１】
本発明は、電子帳票システム、帳票検索装置、その制御方法、およびプログラムに関する。
【手続補正２】
【補正対象書類名】明細書
【補正対象項目名】００１３
【補正方法】変更
【補正の内容】
【００１３】
そこで本発明は、複数のフォームから構成されるマルチフォームの電子帳票の検索において、フォームが異なる帳票においても容易に検索条件を設定可能な仕組みを提供することを目的とする。
【手続補正３】
【補正対象書類名】明細書
【補正対象項目名】００１４
【補正方法】変更
【補正の内容】
【００１４】
本発明の電子帳票システムは、複数のフォームの帳票に対して検索を実行することが可能な電子帳票システムであって、前記帳票の検索を行うための検索条件を受け付ける検索条件受付手段と、前記検索条件受付手段で、受け付けた前記検索条件に対応した検索を実行する検索実行手段と、前記検索実行手段で検索が実行される帳票が前記複数のフォームから構成される帳票であることを条件に、前記検索条件受付手段で受け付けた検索条件をフォームに対応させて変更可能に設定する設定手段と、を備えることを特徴とする。
【手続補正４】
【補正対象書類名】明細書
【補正対象項目名】００１５
【補正方法】変更
【補正の内容】
【００１５】
本発明によれば、複数のフォームから構成されるマルチフォームの電子帳票の検索において、フォームが異なる帳票においても容易に検索条件を設定可能な仕組みを提供することが可能となる。
【手続補正５】
【補正対象書類名】特許請求の範囲
【補正対象項目名】全文
【補正方法】変更
【補正の内容】
【特許請求の範囲】
【請求項１】
複数のフォームの帳票に対して検索を実行することが可能な電子帳票システムであって、
前記帳票の検索を行うための検索条件を受け付ける検索条件受付手段と、
前記検索条件受付手段で、受け付けた前記検索条件に対応した検索を実行する検索実行手段と、
前記検索実行手段で検索が実行される帳票が前記複数のフォームから構成される帳票であることを条件に、前記検索条件受付手段で受け付けた検索条件をフォームに対応させて変更可能に設定する設定手段と、
を備えることを特徴とする電子帳票システム。
【請求項２】
前記検索条件受付手段は、前記検索条件を受け付ける際に検索を行うフォームの指定を受け付ける指定受付手段と、
前記設定手段で設定するための設定画面を表示するよう制御する表示制御手段と、をさらに備え、
前記表示制御手段は、前記指定受付手段で指定を受け付けたフォームとは異なるフォームに対する検索条件の設定を受け付ける設定画面を表示するよう制御することを特徴とする請求項1に記載の電子帳票システム。
【請求項３】
前記検索条件受付手段で受け付ける前記検索条件は、前記帳票の検索領域を含むことを特徴とする請求項２に記載の電子帳票システム。
【請求項４】
前記表示制御手段は、前記検索条件に含まれる検索領域を変更可能な設定画面を表示するよう制御することを特徴とする請求項３に記載の電子帳票システム。
【請求項５】
前記電子帳票システムは、
前記検索条件受付手段で受け付けた検索条件を第１の検索条件、前記設定画面で設定を受け付けた検索条件を第２の検索条件として検索条件を受け付け、
前記検索実行手段は、検索を実行するフォームが複数のフォームから構成される帳票であることを条件に、前記検索条件受付手段で前記指定を受け付けたフォームに対して第１の検索条件を適用し、前記指定を受け付けたフォームとは異なるフォームに対しては前記第２の検索条件を適用して前記複数のフォームから構成される帳票の検索を行うことを特徴とする請求項２乃至４のいずれか１項に記載の電子帳票システム。
【請求項６】
前記表示制御手段は、前記複数のフォームから構成される帳票のうち、前記検索条件受付手段で前記指定を受け付けたフォームとは異なるフォームの帳票画面を前記設定画面に表示するよう制御することを特徴とする請求項２乃至５のいずれか１項に記載の電子帳票システム。
【請求項７】
前記電子帳票システムは、
前記検索条件に基づく検索結果を受信する検索結果受信手段と、
前記検索結果受信手段により受信した検査結果が複数ある場合には受信した検索結果をマージする検索結果マージ手段と
をさらに備えることを特徴とする請求項１乃至６のいずれか１項に記載の電子帳票システム。
【請求項８】
複数のフォームの帳票に対して検索を実行することが可能な電子帳票システムの制御方法であって、
前記帳票の検索を行うための検索条件を受け付ける検索条件受付ステップと、
前記検索条件受付ステップで、受け付けた前記検索条件に対応した検索を実行する検索実行ステップと、
前記検索実行ステップで検索が実行される帳票が前記複数のフォームから構成される帳票であることを条件に、前記検索条件受付ステップで受け付けた検索条件をフォームに対応させて変更可能に設定する設定ステップと、
を含むことを特徴とする電子帳票システムの制御方法。
【請求項９】
複数のフォームの帳票に対して検索を実行することが可能な帳票検索装置であって、
前記帳票の検索を行うための検索条件を受け付ける検索条件受付手段と、
前記検索条件受付手段で、受け付けた前記検索条件に対応した検索を実行する検索実行手段と、
前記検索実行手段で検索が実行される帳票が前記複数のフォームから構成される帳票であることを条件に、前記検索条件受付手段で受け付けた検索条件をフォームに対応させて変更可能に設定する設定手段と、
を備えることを特徴とする帳票検索装置。
【請求項１０】
複数のフォームの帳票に対して検索を実行することが可能な帳票検索装置であって、
前記帳票の検索を行うための検索条件を受け付ける検索条件受付ステップと、
前記検索条件受付ステップで、受け付けた前記検索条件に対応した検索を実行する検索実行ステップと、
前記検索実行ステップで検索が実行される帳票が前記複数のフォームから構成される帳票であることを条件に、前記検索条件受付ステップで受け付けた検索条件をフォームに対応させて変更可能に設定する設定ステップと、
を含むことを特徴とする帳票検索装置の制御方法。
【請求項１１】
コンピュータを、請求項９項に記載の帳票検索装置の各手段として機能させるためのプログラム。
【手続補正書】
【提出日】平成31年1月28日(2019.1.28)
【手続補正１】
【補正対象書類名】特許請求の範囲
【補正対象項目名】全文
【補正方法】変更
【補正の内容】
【特許請求の範囲】
【請求項１】
撮像装置からの画像データを取得する複数のコンピュータを備えるシステムによる対象検出方法であって、
前記システムが、前記複数のコンピュータから前記画像データを取得する過程と、
前記システムが、前記取得された画像データから人物に係る所有物、着衣物、着用物および車両の少なくとも一つを対象として検出する過程と、
前記システムが、前記検出された対象の特徴情報に基づいて当該対象を認識する過程と、
前記システムが、前記人物を認識する過程と、
前記システムが、前記認識された対象と前記認識された人物とを関連させ、当該認識された人物を特定するための情報を提供する過程とを具備する、対象検出方法。
【請求項２】
前記システムが、認識の対象とする前記人物の顔を検出する過程と、
前記システムが、前記検出された人物の顔の特徴を示す顔特徴情報を計算する過程とをさらに具備し、
前記システムは、前記計算された顔特徴情報に基づいて前記人物を認識する、請求項１に記載の対象検出方法。
【請求項３】
前記システムは、撮影され得る対象に係わる特徴情報を記憶するデータベースに記憶された顔特徴情報と、前記計算された顔特徴情報とを比較することで、前記人物を特定する、請求項２に記載の対象検出方法。
【請求項４】
前記システムは、前記データベースに記憶された顔特徴情報の部分空間と、前記計算された顔特徴情報の部分空間との類似度に基づいて、前記人物を特定する、請求項３に記載の対象検出方法。
【請求項５】
前記認識された人物を特定するための情報は、前記計算された顔特徴情報と、当該顔特徴情報に対応付けられる人物の関連情報とを含む、請求項２に記載の対象検出方法。
【請求項６】
前記関連情報は、前記人物の名前、性別、年齢、身長、所有物、着用する着衣、および、搭乗する車両情報の少なくともいずれかを含む、請求項５に記載の対象検出方法。
【請求項７】
前記システムが、前記検出された前記人物の顔と、前記画像データを取得したカメラの画角情報とに基づいて、画像全体に対する相対比率から当該人物の身長を求める過程をさらに具備する、請求項２に記載の対象検出方法。
【手続補正２】
【補正対象書類名】明細書
【補正対象項目名】０００６
【補正方法】変更
【補正の内容】
【０００６】
以上述べたように、利用者ごとに適切なサービスを提供するということについては多分に改善の余地がある。人物だけでなく、付随する物体なども考慮して、より適切なサービスを提供できるようにする技術が要望されている。  
目的は、利用者に応じて適切なサービスを提供することの可能な対象検出方法を提供することにある。
【手続補正３】
【補正対象書類名】明細書
【補正対象項目名】００８５
【補正方法】変更
【補正の内容】
【００８５】
これらのことから、対面装置２００の利用者、接近した人物、物や周囲の状況に応じて情報の出力形態、情報の提供方法、サービスの提供の形態を切り替えることができるようになり、従って、利用者に応じて適切なサービスを提供することの可能な対象検出方法を提供することが可能になる。
【手続補正書】
【提出日】平成31年1月11日(2019.1.11)
【手続補正１】
【補正対象書類名】特許請求の範囲
【補正対象項目名】全文
【補正方法】変更
【補正の内容】
【特許請求の範囲】
【請求項１】
ヒトジストロフィンプレｍＲＮＡのエキソン５３の標的領域のうちの少なくとも２０の連続した塩基に１００％相補的である２１塩基の長さの単離されたアンチセンスオリゴヌクレオチドであって、前記標的領域はアニーリング部位Ｈ５３Ａ（＋３３＋６０）であり、前記アンチセンスオリゴヌクレオチドはモルホリノアンチセンスオリゴヌクレオチドであり、そして、前記アンチセンスオリゴヌクレオチドはエキソン５３スキッピングを誘発する、アンチセンスオリゴヌクレオチド、またはその薬学的に許容される塩。
【請求項２】
塩基配列ＧＴＴＧＣＣＴＣＣＧＧＴＴＣＴＧＡＡＧＧＴＧＴＴＣＴＴＧ（配列番号１）（配列中、チミン塩基は任意選択でウラシル塩基である）のうちの２１の連続した塩基を有する、請求項１に記載のアンチセンスオリゴヌクレオチド、またはその薬学的に許容される塩。
【請求項３】
チミン塩基がウラシル塩基である、請求項２に記載のアンチセンスオリゴヌクレオチド。
【請求項４】
前記アンチセンスオリゴヌクレオチドの活性、細胞分布、または細胞取込みを増強する１つまたは複数の部分または結合体に化学的に連結している、請求項１〜３のいずれかに記載のアンチセンスオリゴヌクレオチド。
【請求項５】
ポリエチレングリコール鎖に化学的に連結している、請求項４に記載のアンチセンスオリゴヌクレオチド。
【請求項６】
（ｉ）請求項１〜５のいずれかに記載のアンチセンスオリゴヌクレオチド、および（ｉｉ）薬学的に許容される担体を含む医薬組成物。
【請求項７】
筋ジストロフィーの処置における使用のための、請求項１〜５のいずれかに記載のアンチセンスオリゴヌクレオチドを含む組成物。
【請求項８】
デュシェンヌ型筋ジストロフィーの処置における使用のための、請求項１〜５のいずれかに記載のアンチセンスオリゴヌクレオチドを含む組成物であって、前記アンチセンスオリゴヌクレオチドは、エキソン５３スキッピングを誘発する、組成物。
【請求項９】
少なくとも１つの請求項１〜５のいずれかに記載のアンチセンスオリゴヌクレオチド、適切な担体、および使用のための指示書を含むキット。
【手続補正書】
【提出日】平成31年2月12日(2019.2.12)
【手続補正１】
【補正対象書類名】特許請求の範囲
【補正対象項目名】全文
【補正方法】変更
【補正の内容】
【特許請求の範囲】
【請求項１】
ユーザが操作する端末装置であって、
ユーザによる操作情報を、情報処理装置に送信する送信処理部と、
前記情報処理装置から、操作情報を反映したゲームの画像データおよび音声データを取得する取得部と、
取得したゲーム画像データおよびゲーム音声データを再生する再生処理部と、
マイクの音声信号を、前記情報処理装置に送信するか否かを制御するマイク音声制御部と、
マイクの状態を示すマイクアイコンを表示する表示処理部と、を備え、
前記マイク音声制御部は、マイクの消音状態を示すマイクアイコンが操作されたときに、マイクの音声信号を送信することを示す通知情報を、前記送信処理部から前記情報処理装置に送信させ、ユーザのゲームプレイ中に、その時点以降にマイクの消音状態を示すマイクアイコンが再度操作されても、通知情報を送信させない、
ことを特徴とする端末装置。
【請求項２】
前記表示処理部は、マイクの消音状態を示すマイクアイコンが操作されると、マイクの消音解除状態を示すマイクアイコンを表示し、またマイクの消音解除状態を示すマイクアイコンが操作されると、マイクの消音状態を示すマイクアイコンを表示する、
ことを特徴とする請求項１に記載の端末装置。
【請求項３】
前記マイク音声制御部は、マイクの消音状態を示すマイクアイコンが操作されると、マイクの音声信号を前記送信処理部から前記情報処理装置に送信させ、マイクの消音解除状態を示すマイクアイコンが操作されると、マイクの音声信号の送信を停止させる、
ことを特徴とする請求項２に記載の端末装置。
【請求項４】
端末装置から送信されるユーザによる操作情報を反映したゲームの画像データおよび音声データを生成する実行部と、
ゲーム画像データおよびゲーム音声データを前記端末装置に送信する送信処理部と、
マイク音声取得部と、
前記端末装置のマイクに対して、前記マイク音声取得部を割り当てるマイクリソース割当部と、を備え、
前記マイクリソース割当部は、ユーザのゲームプレイが終了するまで、前記マイク音声取得部の割当を解除しない、
ことを特徴とする情報処理装置。
【請求項５】
ユーザによる操作情報を、ゲームを実行する情報処理装置に送信するステップと、
前記情報処理装置から、操作情報を反映したゲームの画像データおよび音声データを取得するステップと、
取得したゲーム画像データおよびゲーム音声データを再生するステップと、
マイクの状態を示すマイクアイコンを表示するステップと、
マイクの消音状態を示すマイクアイコンが操作されたときに、マイクの音声信号を送信することを示す通知情報を、前記情報処理装置に送信し、ユーザのゲームプレイ中に、その時点以降にマイクの消音状態を示すマイクアイコンが再度操作されても、通知情報を送信しないステップと、
を備えることを特徴とするマイク音声送信方法。
【請求項６】
コンピュータに、
ユーザによる操作情報を、ゲームを実行する情報処理装置に送信する機能と、
前記情報処理装置から、操作情報を反映したゲームの画像データおよび音声データを取得する機能と、
取得したゲーム画像データおよびゲーム音声データを再生する機能と、
マイクの状態を示すマイクアイコンを表示する機能と、
マイクの消音状態を示すマイクアイコンが操作されたときに、マイクの音声信号を送信することを示す通知情報を、前記情報処理装置に送信し、ユーザのゲームプレイ中に、その時点以降にマイクの消音状態を示すマイクアイコンが再度操作されても、通知情報を送信しない機能と、
を実現させるためのプログラム。
【手続補正書】
【提出日】平成30年11月21日(2018.11.21)
【手続補正１】
【補正対象書類名】特許請求の範囲
【補正対象項目名】全文
【補正方法】変更
【補正の内容】
【特許請求の範囲】
【請求項１】
遊技者の操作に応じて遊技球を発射し、該発射された遊技球を外レールと該外レールの内側に設けられた内レールとの間を通って上方へ誘導し、前記内レールの上端から遊技領域内に遊技球が進入しうる遊技機において、
前記遊技領域が前面側に形成された遊技パネルと、
前記遊技パネルに設けられ、内側への遊技球の進入を阻害する周壁部を有するセンター役物と、
前記センター役物の前記周壁部における特定部位から外側左方向に向けて延出し、前記遊技パネルの前面に沿って設けられた延出領域部と、
前記遊技パネルの前面に沿って設けられた前記延出領域部の面部から前方に突出した複数の突出部と、
前記延出領域部の後側に設けられた複数の発光部と、
所定の発光演出を実行する発光演出実行手段と、を備え、
前記延出領域部には、前記内レールの上端よりも上方で、且つ、前記センター役物の前記周壁部と前記外レールとの間に前記突出部が位置するように設けられており、当該突出部によって、前記内レールの上端から前記遊技領域内に進入した遊技球の流下態様に変化を与えることを可能にし、
前記発光演出実行手段は、前記発光演出として、前記延出領域部の後側に設けられた前記複数の発光部を同時期に発光させる演出を実行可能である
ことを特徴とする遊技機。
【手続補正２】
【補正対象書類名】明細書
【補正対象項目名】０００６
【補正方法】変更
【補正の内容】
【０００６】
本発明は、
遊技者の操作に応じて遊技球を発射し、該発射された遊技球を外レールと該外レールの内側に設けられた内レールとの間を通って上方へ誘導し、前記内レールの上端から遊技領域内に遊技球が進入しうる遊技機において、
前記遊技領域が前面側に形成された遊技パネルと、
前記遊技パネルに設けられ、内側への遊技球の進入を阻害する周壁部を有するセンター役物と、
前記センター役物の前記周壁部における特定部位から外側左方向に向けて延出し、前記遊技パネルの前面に沿って設けられた延出領域部と、
前記遊技パネルの前面に沿って設けられた前記延出領域部の面部から前方に突出した複数の突出部と、
前記延出領域部の後側に設けられた複数の発光部と、
所定の発光演出を実行する発光演出実行手段と、を備え、
前記延出領域部には、前記内レールの上端よりも上方で、且つ、前記センター役物の前記周壁部と前記外レールとの間に前記突出部が位置するように設けられており、当該突出部によって、前記内レールの上端から前記遊技領域内に進入した遊技球の流下態様に変化を与えることを可能にし、
前記発光演出実行手段は、前記発光演出として、前記延出領域部の後側に設けられた前記複数の発光部を同時期に発光させる演出を実行可能である
ことを特徴とする。
また、本発明とは別の発明として以下の手段を例示する。
手段１：遊技機において、  「遊技領域を形成している平板状の遊技パネルと、
該遊技パネルの後側に配置された第一可動装飾体と、
該第一可動装飾体とは前後方向の異なる位置に配置された第二可動装飾体と、
上下に延びると共に前記遊技パネルの後側に取付けられた金属板からなる第一ベースを有し、前記第一可動装飾体を上下に移動させる第一駆動ユニットと、
該第一駆動ユニットの前記第一ベースと平行に上下に延び前記遊技パネルの後側に取付けられた金属板からなる第二ベースを有し、前記第二可動装飾体を移動させる第二駆動ユニットとを具備する」ものであることを特徴とする。
【手続補正書】
【提出日】令和1年10月31日(2019.10.31)
【手続補正１】
【補正対象書類名】特許請求の範囲
【補正対象項目名】全文
【補正方法】変更
【補正の内容】
【特許請求の範囲】
【請求項１】
遊技領域が形成された遊技盤と、
前記遊技領域に設けられ、遊技球が入球可能な始動口と、
前記始動口への入球を契機として当否判定を実行する当否判定手段と、
前記遊技領域に設けられ、前記当否判定の結果に応じて開放されて遊技球が入球可能な大入賞口と、
前記遊技領域における前記始動口と異なる位置に設けられ、遊技球が入球可能な所定入賞口と、
前記当否判定の結果が大当りである場合、前記大入賞口を開放させた後に閉鎖させるラウンド遊技を複数回実行する特別遊技を実行し得る特別遊技実行手段と、
前記当否判定の結果を示唆する演出が表示される演出表示装置と、
前記演出表示装置に表示される演出内容を決定する演出決定手段とを備え、
前記大入賞口に遊技球が入球した場合、遊技球を賞球として払い出すように構成されており、
前記所定入賞口に遊技球が入球した場合、遊技球を賞球として払い出すように構成されており、
特別遊技におけるラウンド遊技の実行中に遊技球が前記大入賞口に入球することを契機として当該特別遊技の実行中に払い出される賞球数の総数である大入賞口賞球総数と、特別遊技におけるラウンド遊技の実行中に遊技球が前記所定入賞口に入球することを契機として当該特別遊技の実行中に払い出される賞球数の総数である所定入賞口賞球総数との合算数の表示である合算数表示を現在実行中の特別遊技におけるラウンド遊技中に更新表示可能であり、
前記合算数表示は、特別遊技におけるラウンド遊技の実行中に前記大入賞口または前記所定入賞口へ遊技球が入球する毎に更新表示され、
特別遊技におけるラウンド遊技の実行中においては、前記遊技領域のうち前記大入賞口が配置されている遊技領域の方向へ遊技球を発射するよう遊技者に促す所定画像を表示可能であり、
前記所定画像と前記合算数表示とを同時に表示可能である一方で、前記所定画像と前記合算数表示とはそれぞれが重畳して表示されないように構成されており、
前記所定入賞口として、少なくとも所定入賞口Ａと、前記所定入賞口Ａと異なる位置に設けられた所定入賞口Ｂとを有しており、
前記所定入賞口Ａは、前記遊技領域のうちの所定の遊技領域内に設けられており、前記所定入賞口Ｂおよび前記大入賞口は、前記遊技領域のうちの前記所定の遊技領域とは異なる遊技領域内に設けられており、前記異なる遊技領域内において前記大入賞口よりも上流側に前記所定入賞口Ｂが設けられており、
現在実行中の特別遊技におけるラウンド遊技中の前記所定入賞口Ａへの遊技球の入球による賞球は、前記合算数表示の更新表示の対象とならない一方で、現在実行中の特別遊技におけるラウンド遊技中の前記所定入賞口Ｂへの遊技球の入球による賞球は、前記合算数表示の更新表示の対象となるように構成され、
特別遊技の実行中、前記合算数表示が特定数に達することを契機として、特別演出を実行可能であることを特徴とする、ぱちんこ遊技機。
【手続補正２】
【補正対象書類名】明細書
【補正対象項目名】０００７
【補正方法】変更
【補正の内容】
【０００７】
このような目的達成のために、本発明に係るぱちんこ遊技機は、遊技領域が形成された遊技盤と、前記遊技領域に設けられ、遊技球が入球可能な始動口と、前記始動口への入球を契機として当否判定を実行する当否判定手段と、前記遊技領域に設けられ、前記当否判定の結果に応じて開放されて遊技球が入球可能な大入賞口と、前記遊技領域における前記始動口と異なる位置に設けられ、遊技球が入球可能な所定入賞口と、前記当否判定の結果が大当りである場合、前記大入賞口を開放させた後に閉鎖させるラウンド遊技を複数回実行する特別遊技を実行し得る特別遊技実行手段と、前記当否判定の結果を示唆する演出が表示される演出表示装置と、前記演出表示装置に表示される演出内容を決定する演出決定手段とを備え、前記大入賞口に遊技球が入球した場合、遊技球を賞球として払い出すように構成されており、前記所定入賞口に遊技球が入球した場合、遊技球を賞球として払い出すように構成されており、特別遊技におけるラウンド遊技の実行中に遊技球が前記大入賞口に入球することを契機として当該特別遊技の実行中に払い出される賞球数の総数である大入賞口賞球総数と、特別遊技におけるラウンド遊技の実行中に遊技球が前記所定入賞口に入球することを契機として当該特別遊技の実行中に払い出される賞球数の総数である所定入賞口賞球総数との合算数の表示である合算数表示を現在実行中の特別遊技におけるラウンド遊技中に更新表示可能であり、前記合算数表示は、特別遊技におけるラウンド遊技の実行中に前記大入賞口または前記所定入賞口へ遊技球が入球する毎に更新表示され、特別遊技におけるラウンド遊技の実行中においては、前記遊技領域のうち前記大入賞口が配置されている遊技領域の方向へ遊技球を発射するよう遊技者に促す所定画像を表示可能であり、前記所定画像と前記合算数表示とを同時に表示可能である一方で、前記所定画像と前記合算数表示とはそれぞれが重畳して表示されないように構成されており、前記所定入賞口として、少なくとも所定入賞口Ａと、前記所定入賞口Ａと異なる位置に設けられた所定入賞口Ｂとを有しており、前記所定入賞口Ａは、前記遊技領域のうちの所定の遊技領域内に設けられており、前記所定入賞口Ｂおよび前記大入賞口は、前記遊技領域のうちの前記所定の遊技領域とは異なる遊技領域内に設けられており、前記異なる遊技領域内において前記大入賞口よりも上流側に前記所定入賞口Ｂが設けられており、現在実行中の特別遊技におけるラウンド遊技中の前記所定入賞口Ａへの遊技球の入球による賞球は、前記合算数表示の更新表示の対象とならない一方で、現在実行中の特別遊技におけるラウンド遊技中の前記所定入賞口Ｂへの遊技球の入球による賞球は、前記合算数表示の更新表示の対象となるように構成され、特別遊技の実行中、前記合算数表示が特定数に達することを契機として、特別演出を実行可能であることを特徴とする。
【手続補正書】
【提出日】令和1年7月1日(2019.7.1)
【手続補正１】
【補正対象書類名】特許請求の範囲
【補正対象項目名】全文
【補正方法】変更
【補正の内容】
【特許請求の範囲】
【請求項１】
被検体内への挿入方向に沿って相互に連結されて少なくとも１方向に湾曲可能な湾曲管と、
前記湾曲管の基端側に連設される可撓管と、
前記湾曲管及び前記可撓管の内部に挿通され、軸方向に移動することで前記湾曲管を前記少なくとも１方向に湾曲させる操作ワイヤと、
前記可撓管の基端側に連設され、前記操作ワイヤを軸方向に移動させて前記湾曲管を前記少なくとも１方向に湾曲させる第１のユーザ操作を受け付ける操作部と、
前記湾曲管の基端部に設けられ、与えられた動力に応じて前記操作ワイヤの移動を規制するブレーキ機構と、
前記ブレーキ機構を作動させる第２のユーザ操作を受け付ける作動部材とを備える
ことを特徴とする内視鏡。
【請求項２】
前記作動部材への前記第２のユーザ操作に応じた動力を前記ブレーキ機構に伝達するブレーキワイヤをさらに備え、
前記ブレーキ機構は、
前記ブレーキワイヤにて伝達された動力に応じて前記操作ワイヤに当接し、当該操作ワイヤの移動を規制するブレーキパッドを備える
ことを特徴とする請求項１に記載の内視鏡。
【請求項３】
前記ブレーキ機構に接続し、前記作動部材への前記第２のユーザ操作に応じて当該ブレーキ機構に作動用の電力を伝送するブレーキケーブルをさらに備え、
前記ブレーキ機構は、
前記ブレーキケーブルにて伝送された電力に応じて作動する第１アクチュエータと、
前記第１アクチュエータの作動に応じて前記操作ワイヤに当接し、当該操作ワイヤの移動を規制するブレーキパッドとを備える
ことを特徴とする請求項１に記載の内視鏡。
【請求項４】
前記ブレーキ機構に接続し、前記作動部材への前記第２のユーザ操作に応じて当該ブレーキ機構に作動用の流体圧を供給する流体圧供給管をさらに備え、
前記ブレーキ機構は、
前記流体圧供給管からの流体圧に応じて作動する第２アクチュエータと、
前記第２アクチュエータの作動に応じて前記操作ワイヤに当接し、当該操作ワイヤの移動を規制するブレーキパッドとを備える
ことを特徴とする請求項１に記載の内視鏡。
【請求項５】
前記湾曲管は、
複数のリング状部材を相互に連結する複数のピンを備え、隣接する前記リング状部材同士が前記ピンを中心として相対的に回動することで前記少なくとも１方向に湾曲し、
前記ブレーキ機構は、
前記複数のピンのうち最も基端側に位置するピンの基端側に設けられている
ことを特徴とする請求項１〜４のいずれか一つに記載の内視鏡。
【請求項６】
前記湾曲管より先端側に設けられ、超音波を送受信するコンベックス型の超音波探触子をさらに備え、
前記操作ワイヤは、
軸方向に移動することで前記湾曲管を前記超音波探触子からの超音波の送信側に向けて湾曲させる第１操作ワイヤを備え、
前記ブレーキ機構は、
前記第１操作ワイヤの移動を規制する
ことを特徴とする請求項１に記載の内視鏡。
【手続補正２】
【補正対象書類名】明細書
【補正対象項目名】０００８
【補正方法】変更
【補正の内容】
【０００８】
上述した課題を解決し、目的を達成するために、本発明に係る内視鏡は、被検体内への挿入方向に沿って相互に連結されて少なくとも１方向に湾曲可能な湾曲管と、前記湾曲管の基端側に連設される可撓管と、前記湾曲管及び前記可撓管の内部に挿通され、軸方向に移動することで前記湾曲管を前記少なくとも１方向に湾曲させる操作ワイヤと、前記可撓管の基端側に連設され、前記操作ワイヤを軸方向に移動させて前記湾曲管を前記少なくとも１方向に湾曲させる第１のユーザ操作を受け付ける操作部と、前記湾曲管の基端部に設けられ、与えられた動力に応じて前記操作ワイヤの移動を規制するブレーキ機構と、前記ブレーキ機構を作動させる第２のユーザ操作を受け付ける作動部材とを備えることを特徴とする。
【手続補正３】
【補正対象書類名】明細書
【補正対象項目名】００１２
【補正方法】変更
【補正の内容】
【００１２】
また、本発明に係る内視鏡は、上記発明において、前記湾曲管は、複数のリング状部材を相互に連結する複数のピンを備え、隣接する前記リング状部材同士が前記ピンを中心として相対的に回動することで前記少なくとも１方向に湾曲し、前記ブレーキ機構は、前記複数のピンのうち最も基端側に位置するピンの基端側に設けられていることを特徴とする。
【手続補正４】
【補正対象書類名】明細書
【補正対象項目名】００１３
【補正方法】変更
【補正の内容】
【００１３】
また、本発明に係る内視鏡は、上記発明において、前記湾曲管より先端側に設けられ、超音波を送受信するコンベックス型の超音波探触子をさらに備え、前記操作ワイヤは、軸方向に移動することで前記湾曲管を前記超音波探触子からの超音波の送信側に向けて湾曲させる第１操作ワイヤを備え、前記ブレーキ機構は、前記第１操作ワイヤの移動を規制することを特徴とする。
【手続補正書】
【提出日】令和1年10月7日(2019.10.7)
【手続補正１】
【補正対象書類名】特許請求の範囲
【補正対象項目名】全文
【補正方法】変更
【補正の内容】
【特許請求の範囲】
【請求項１】
第１基板と、
前記第１基板を貫通するスルーホールと、
一端に凸部を有し、かつ、前記凸部の周囲に凹部を有するピラーと、
前記スルーホールと前記凸部とを接合するはんだと、
前記ピラーの他端にはんだ付けされた第２基板と、
を備え、
前記スルーホールの第１内周面と前記凸部の第１外周面とが離間した状態で前記凸部の一部が前記スルーホール内に挿し込まれた状態にあり、
前記凹部が前記スルーホールの外側に配置されていることを特徴とする基板。
【請求項２】
前記凹部は、底面と、前記底面に連続する第２内周面及び前記第２内周面の反対側の第２外周面を含む外周壁とを有し、
前記凸部の前記第１外周面と前記外周壁の前記第２内周面との間の距離が、前記凸部の前記第１外周面と前記スルーホールの前記第１内周面との間の距離よりも大きいことを特徴とする請求項１に記載の基板。
【請求項３】
前記外周壁は、前記第２内周面及び前記第２外周面に連続する上面と、前記上面に形成され、前記ピラーの外周に沿って延伸する溝部とを有することを特徴とする請求項２に記載の基板。
【請求項４】
前記外周壁は、前記第２内周面及び前記第２外周面に連続する上面と、前記上面に形成され、前記第２内周面から前記第２外周面まで達する溝部とを有することを特徴とする請求項２に記載の基板。
【手続補正書】
【提出日】令和1年10月10日(2019.10.10)
【手続補正１】
【補正対象書類名】特許請求の範囲
【補正対象項目名】全文
【補正方法】変更
【補正の内容】
【特許請求の範囲】
【請求項１】
車両に配置され、少なくとも一つが前記車両の車体に対して可動する前記車両の扉に設置される複数の撮像装置で撮像された映像を取得する映像取得部と、
前記扉の動作を検出したことを示す検出情報を取得する情報取得部と、
前記映像取得部が取得した前記複数の撮像装置で撮像された映像を合成して、合成映像を生成する映像生成部と、
前記映像生成部が生成した合成映像を表示部に表示させる表示制御部と、
を備え、
前記映像生成部は、前記情報取得部が前記扉の開状態を示す検出情報を取得した場合、開状態となった前記扉に設置された前記撮像装置で撮影された映像の向きを、前記扉の開いた方向に合わせて向きを変えた映像を含めた合成映像として、視点変換処理を行い前記車両の上方から見たような俯瞰映像を生成することを特徴とする映像生成装置。
【請求項２】
前記映像生成部は、前記情報取得部が前記扉の開状態を示す検出情報を取得した場合、開状態となった前記扉に設置された前記撮像装置で撮影された映像の切出範囲を前記車両の車幅方向で前記車両から離間する方向に広くし、前記扉の開いた方向に合わせて向きを変えた合成映像を生成する請求項１に記載の映像生成装置。
【請求項３】
前記映像生成部は、前記情報取得部が前記扉の開状態を示す検出情報を取得した場合、開状態となった前記扉に設置された前記撮像装置で撮影された映像の切出範囲を前記車両の後方に広くし、前記扉の開いた方向に合わせて向きを変えた合成映像を生成する請求項1または２に記載の映像生成装置。
【請求項４】
前記情報取得部は、前記扉の動作を検出したことと、前記扉の開度とを示す検出情報を取得し、
前記映像生成部は、前記情報取得部が前記扉の開状態を示す検出情報を取得した場合、開状態となった前記扉に設置された前記撮像装置で撮影された映像の向きを、前記扉の開度に合わせて回転角度を変えて合成映像を生成する請求項１から３のいずれか一項に記載の映像生成装置。
【請求項５】
前記映像生成部は、前記情報取得部が前記扉の開状態を示す検出情報を取得した場合、開状態となった前記扉が検出された方向と異なる方向に車両を寄せて位置させた状態で、開状態となった前記扉に設置された前記撮像装置で撮影された映像の向きを、前記扉の開いた方向に合わせて変えた合成映像を生成する請求項１から４のいずれか一項に記載の映像生成装置。
【請求項６】
請求項１から５のいずれか一項に記載の映像生成装置と、
前記車両の周辺を撮影し前記映像取得部に周辺映像を供給する撮像装置と、
前記可動の動作を検出し前記情報取得部に検出情報を供給する検出部と
を有することを特徴とする映像生成システム。
【請求項７】
車両に配置され、少なくとも一つが前記車両の車体に対して可動する前記車両の扉に設置される複数の撮像装置で撮像された映像を取得する映像取得ステップと、
前記扉の動作を検出したことを示す検出情報を取得する情報取得ステップと、
前記映像取得ステップで取得した前記複数の撮像装置で撮像された映像を合成して、合成映像を生成する映像生成ステップと、
前記映像生成ステップで生成した合成映像を表示部に表示させる表示制御ステップと、
を含み、
前記映像生成ステップは、前記情報取得ステップで前記扉の開状態を示す検出情報を取得した場合、開状態となった前記扉に設置された前記撮像装置で撮影された映像の向きを、前記扉の開いた方向に合わせて向きを変えた映像を含めた合成映像として、視点変換処理を行い前記車両の上方から見たような俯瞰映像を生成する、映像生成装置が実行する映像生成方法。
【請求項８】
車両に配置され、少なくとも一つが前記車両の車体に対して可動する前記車両の扉に設置される複数の撮像装置で撮像された映像を取得する映像取得ステップと、
前記扉の動作を検出したことを示す検出情報を取得する情報取得ステップと、
前記映像取得ステップで取得した前記複数の撮像装置で撮像された映像を合成して、合成映像を生成する映像生成ステップと、
前記映像生成ステップで生成した合成映像を表示部に表示させる表示制御ステップと、
を含み、
前記映像生成ステップは、前記情報取得ステップで前記扉の開状態を示す検出情報を取得した場合、開状態となった前記扉に設置された前記撮像装置で撮影された映像の向きを、前記扉の開いた方向に合わせて向きを変えた映像を含めた合成映像として、視点変換処理を行い前記車両の上方から見たような俯瞰映像を生成することを映像生成装置として動作するコンピュータに実行させるためのプログラム。
【手続補正書】
【提出日】平成30年12月25日(2018.12.25)
【手続補正１】
【補正対象書類名】特許請求の範囲
【補正対象項目名】全文
【補正方法】変更
【補正の内容】
【特許請求の範囲】
【請求項１】
少なくとも窒化膜と酸化膜とが形成された基板を処理するウェットエッチング装置において、
リン酸水溶液を貯留するリン酸水溶液貯留部と、
前記リン酸溶液貯留部につながり、前記リン酸溶液貯留部内のリン酸溶液を循環させる循環配管と、
前記循環配管に接続される吐出配管と、
前記基板を保持して回転させる回転機構、前記吐出配管に設けられ回転する前記基板に前記リン酸水溶液を供給するノズル、を有する処理部と、
前記リン酸水溶液貯留部内の前記リン酸水溶液を前記循環配管にて循環させつつ、前記吐出配管を介して前記ノズルから前記リン酸水溶液を前記基板に供給するように制御する制御部と、
を有することを特徴とするウェットエッチング装置。
【請求項２】
前記吐出配管には第１の開閉弁が設けられ、
前記制御部は、前記リン酸水溶液貯留部内の前記リン酸水溶液のシリカ濃度が予め設定された所定の濃度であることを条件に、前記第１の開閉弁を開状態とすることを特徴とする請求項１に記載のウェットエッチング装置。
【請求項３】
前記制御部は、前記リン酸水溶液貯留部内の前記リン酸水溶液の温度が予め設定された所定の温度であることを条件に前記第１の開閉弁を開状態とすることを特徴とする請求項２に記載のウェットエッチング装置。
【請求項４】
前記処理部と前記リン酸水溶液貯留部とを接続する回収配管を有し、
前記回収配管にはヒータが設けられることを特徴とする請求項１〜３のいずれかに記載のウェットエッチング装置。
【請求項５】
前記処理部と前記リン酸水溶液貯留部とを接続する回収配管を有し、
前記制御部は、前記回収配管内の前記リン酸水溶液のシリカ濃度が予め設定された所定の濃度を超えると前記回収配管に設けられる第２の開閉弁を閉状態とすることを特徴とする請求項１〜３のいずれかに記載のウェットエッチング装置。
【請求項６】
前記回収配管にはヒータが設けられることを特徴とする請求項５に記載のウェットエッチング装置。
【請求項７】
前記処理部と前記リン酸水溶液貯留部とを接続する回収配管を有し、
前記制御部は、前記リン酸水溶液貯留部の前記リン酸水溶液のシリカ濃度が予め設定された所定の濃度より低くなると、前記第１の開閉弁を閉状態とすることを特徴とする請求項１〜３のいずれかに記載のウェットエッチング装置。
【請求項８】
前記制御部は、
前記処理部による前記基板の処理中に、前記リン酸水溶液のシリカ濃度が予め設定された所定の濃度より低くなると、その基板への処理が終了した時点で、前記第１の開閉弁を閉状態とすることを特徴とする請求項７に記載のウェットエッチング装置。
【手続補正２】
【補正対象書類名】明細書
【補正対象項目名】００１２
【補正方法】変更
【補正の内容】
【００１２】
この発明は、
少なくとも窒化膜と酸化膜とが形成された基板を処理するウェットエッチング装置において、
リン酸水溶液を貯留するリン酸水溶液貯留部と、
前記リン酸溶液貯留部につながり、前記リン酸溶液貯留部内のリン酸溶液を循環させる循環配管と、
前記循環配管に接続される吐出配管と、
前記基板を保持して回転させる回転機構、前記吐出配管に設けられ回転する前記基板に前記リン酸水溶液を供給するノズル、を有する処理部と、
前記リン酸水溶液貯留部内の前記リン酸水溶液を前記循環配管にて循環させつつ、前記吐出配管を介して前記ノズルから前記リン酸水溶液を前記基板に供給するように制御する制御部と、
を有することを特徴とする。
【手続補正３】
【補正対象書類名】明細書
【補正対象項目名】００４１
【補正方法】変更
【補正の内容】
【００４１】
一方、処理部４０から回収配管５３を介してタンク２１に回収されるリン酸溶液によって、タンク２１内のリン酸水溶液のシリカ濃度が、制御部１００に予め設定した所定濃度より低下することがある。この場合、制御部１００は、濃度検出部２２がこの濃度の低下を検出した場合に開閉弁５２ａを閉じる。なお、制御部１００は、タンク２１内のリン酸溶液のシリカ濃度が低下したことを、基板Ｗに対するエッチング処理中に検出した場合、その基板Ｗへのエッチング処理が終了した時点で、開閉弁５２ａを閉じるようにする。これにより、その基板Ｗに対しても、均一なエッチング処理が行える。
【手続補正４】
【補正対象書類名】明細書
【補正対象項目名】００６５
【補正方法】変更
【補正の内容】
【００６５】
１０…ウェットエッチング装置、２０…貯留部（リン酸水溶液貯留部）、２１…タンク、２２，２８…濃度検出部、２５…サブタンク、３０…添加剤貯留部、３１…添加剤タンク、４０…処理部、４１…回転機構、４２…ノズル、５０…循環部、５１…循環配管、５２…吐出配管、５２ａ…開閉弁（第１の開閉弁）、５３…回収配管、５３ｂ…開閉弁（第２の開閉弁）、５４…添加剤配管、１００，１００Ａ…制御部。
【手続補正書】
【提出日】令和1年10月28日(2019.10.28)
【手続補正１】
【補正対象書類名】明細書
【補正対象項目名】００３８
【補正方法】変更
【補正の内容】
【００３８】
ここで、マイクアンプユニット１１は、ＬＥＤを有するマイクロホンかＬＥＤを有さないマイクロホンかを、１番ピン６１の電位により検知する検知手段を有する。具体的には、マイクアンプユニット１１は、１番ピン６１が正電位を有するとき、ＬＥＤを有するマイクロホンが接続されていることを検知する。また、マイクアンプユニット１１は、１番ピン６１がグランド電位であるとき、ＬＥＤを有さないマイクロホンが接続されていることを検知するよう構成されている。マイクアンプユニット１１は、ＬＥＤを有するマイクロホンが接続されていることを検知したときに、スイッチ３０を開閉してＬＥＤの明滅を制御する。
【手続補正２】
【補正対象書類名】特許請求の範囲
【補正対象項目名】請求項４
【補正方法】変更
【補正の内容】
【請求項４】
前記スイッチング素子はＦＥＴであり、前記特定の端子は前記ＦＥＴのゲート端子に接続されている、請求項１乃至３のいずれかに記載のマイクロホン。